(57)【要約】【課題】襟前部分に位置する襟台の両端部を開いた姿勢で保持するための襟保形具をより簡単な構造で提供する。【解決手段】透明の薄板状の部分と、シャツの襟羽と襟台の間に形成される空間に挿入される２つの挿入片部と、シャツへの装着時の位置ずれを防止するための移動規制手段６，７，８とを備えた襟保形具１を形成する。そして、２つの前記挿入片部をそれぞれ離間した位置で襟羽と襟台の間に形成される空間に別途挿入し、２つの挿入片部で襟羽を外側へと押圧する。また、透明の薄板状の部分を設けることにより、襟保形具１と重なるシャツの下前立や下前身ごろを透過して見えるようにする。【選択図】図２
2014051754.tif 000002
【特許請求の範囲】
【請求項１】
透明の薄板状の部分と、シャツへの装着時において前記シャツの襟羽と襟台の間に形成される空間に挿入される２つの挿入片部と、前記シャツへの装着時の位置ずれを防止するための移動規制手段とを備え、
２つの前記挿入片部がそれぞれ離間した位置で別途前記空間に挿入され、前記襟羽を外側へ押圧し、前方側に位置する襟台の両端部が互いに離間する方向に開いた姿勢を保持することを特徴とする襟保形具。
【請求項２】
弾性を有した帯状体である本体部を備え、前記本体部の長手方向の両端部がそれぞれ別途前記挿入片部として機能するものであり、
前記移動規制手段の少なくとも１つは、前記本体部に形成された拡幅部であり、
前記拡幅部は、周囲に位置する部分より拡幅された部分であり、周囲に位置する部分から徐々に幅が広がっていくものであって、
さらに前記拡幅部は、前記シャツへの装着時において、前記シャツの上下方向に離れた部分をそれぞれ押圧することを特徴とする請求項１に記載の襟保形具。
【請求項３】
弾性を有した帯状体である本体部を備え、前記本体部の長手方向の両端部がそれぞれ別途前記挿入片部として機能するものであり、
前記移動規制手段の少なくとも１つは、前記本体部に形成された第１溝部であり、
前記第１溝部に上前立及び／又は襟台が挟み込まれた状態で前記シャツに装着されることを特徴とする請求項１又は２に記載の襟保形具。
【請求項４】
弾性を有した帯状体である本体部を備え、前記本体部の長手方向の両端部がそれぞれ別途前記挿入片部として機能するものであり、
前記移動規制手段の少なくとも１つは、前記本体部に形成された突出部であり、
前記突出部は、前記本体部から外側へと延びており、
前記突出部の先端側部分には、基端側部分へと向かって延びる第２溝部が設けられており、
前記突出部の少なくとも一部が上前立と下前立に挟み込まれ、前記第２溝部にボタンを取り付けるための糸が挟み込まれた状態で前記シャツに装着されることを特徴とする請求項１乃至３のいずれかに記載の襟保形具。
【請求項５】
前記突出部は、前記先端側部分が前記基端側部分に対して屈曲しており、前記第２溝部は前記先端側部分の延び方向に沿って延びていることを特徴とする請求項４に記載の襟保形具。
【発明の詳細な説明】
【技術分野】
【０００１】
本発明は、シャツ（所謂ワイシャツ、ドレスシャツと称されるシャツや所謂ネルシャツと称されるシャツ等）の襟部分を開放された形状に保持するための襟保形具に関するものである。
【背景技術】
【０００２】
ワイシャツやカッターシャツ、ドレスシャツ等と呼ばれているシャツ（shirt）は、背広やスーツに合わせて利用されている。また、夏場の軽装を奨励する所謂クールビズにおいては、ネクタイや上着を着用しないことが多く、シャツだけで利用されることが一般的である。
【０００３】
このように、ネクタイ等を着用せずにシャツだけで利用する場合、人によってはシャツの襟前最上部に位置する第一ボタンを外したまま着用している。また、そのような着用方法を想定し、第一ボタンを設けていないシャツ等も市場に流通している。
【０００４】
近年、このように第一ボタンを外したまま着用した際の見栄えをよくするため、襟台や下前立の部分に他の部分とは異なる生地を用いたり、襟台や下前立の部分に刺繍を施したシャツがある。ここで、襟台や下前立の部分は、第一ボタンを外さずに着用した場合、上前立やもう一方の襟台と重なった状態となって外側から見えなくなってしまう部分である。すなわち、この種のシャツは、第一ボタンを外さずに着用すると外側から見えなくなってしまう部分に対し、あえてデザイン上の工夫を施している。
【０００５】
そこで、この種のシャツを店頭で陳列する際には、襟前部分が開いた状態で陳列することが好ましい。つまり、第一ボタンがある場合は外した状態とし、襟前部分を開いた状態とすることで、襟台や下前立の部分に施したデザイン上の工夫が客の目に留まる状態で陳列することが好ましい。
【０００６】
シャツの襟前部分を開いた状態に維持する襟保形具として、例えば、特許文献１に開示されたものがある。特許文献１に開示された襟保形具は、帯状のプラスチックシートを環状形状に組み立て、襟回りの内側部分に載置して使用する。この際、襟保形具の外周面に形成した２つの挟持片によって２つの襟台をそれぞれ側方から挟み込む。詳説すると、向かって右側に位置する襟台を左方から挟み込み、向かって左側に位置する襟台を右方から挟み込む。このとき、それぞれの襟台が挟持片によって互いに離れる方向へと押圧されることにより、襟前部分が開いた状態となる。そして、それぞれに襟台が挟持片によって挟み込まれていることにより、襟前部分が開いた状態のまま維持される。
【先行技術文献】
【特許文献】
【０００７】
【特許文献１】特開２００７−１０７１３２号公報
【発明の概要】
【発明が解決しようとする課題】
【０００８】
しかしながら、特許文献１に開示された襟保形具には、構造をより簡単にするという観点からさらなる改良の余地がある。
【０００９】
そこで本発明は、より簡単な構造の襟保形具を提供することを課題とする。
【課題を解決するための手段】
【００１０】
上記課題を解決するための請求項１に記載の発明は、透明の薄板状の部分と、シャツへの装着時において前記シャツの襟羽と襟台の間に形成される空間に挿入される２つの挿入片部と、前記シャツへの装着時の位置ずれを防止するための移動規制手段とを備え、２つの前記挿入片部がそれぞれ離間した位置で別途前記空間に挿入され、前記襟羽を外側へ押圧し、前方側に位置する襟台の両端部が互いに離間する方向に開いた姿勢を保持することを特徴とする襟保形具である。
【００１１】
本発明の襟保形具は、シャツの襟羽と襟台の間に形成される空間に対して２つの挿入片部をそれぞれ別途挿入するだけで、前方側に位置する襟台の両端部が互いに離間する方向に開いた姿勢を保持できる。すなわち、本発明の襟保形具は襟の内側に挿入する環状の襟保形具とは異なり、装着するシャツの首回りの長さに合わせて径の長さを調整したりする必要がない。また、シャツへの装着前に組み立て作業を実施する必要もない。このように、本発明によると襟保形具をより簡単な構造とすることができる。
【００１２】
請求項２に記載の発明は、弾性を有した帯状体である本体部を備え、前記本体部の長手方向の両端部がそれぞれ別途前記挿入片部として機能するものであり、前記移動規制手段の少なくとも１つは、前記本体部に形成された拡幅部であり、前記拡幅部は、周囲に位置する部分より拡幅された部分であり、周囲に位置する部分から徐々に幅が広がっていくものであって、さらに前記拡幅部は、前記シャツへの装着時において、前記シャツの上下方向に離れた部分をそれぞれ押圧することを特徴とする請求項１に記載の襟保形具である。
【００１３】
かかる構成では、本体部に周囲に位置する部分より拡幅された拡幅部を有している。このため、本体部をシャツの襟羽と襟台の間に形成される空間に挿入していくとき、この拡幅部が襟羽と襟台の間で引っ掛かった状態となる。このようにすることで、装着した襟保形具がシャツに対して位置ずれしてしまったり、不意に外れてしまったりすることを防止することができる。
また、この拡幅部は、周囲に位置する部分から徐々に幅が広がっていくため、幅が広い部分が引っ掛かった状態となるまでは、襟羽と襟台の間に形成される空間への本体部の挿入動作を阻害しない。そのため、襟保形具のシャツへの挿入動作、すなわち、襟保形具のシャツへの装着動作を容易に実施できる。
さらに、この拡幅部は、シャツの上下方向に離れた部分をそれぞれ押圧する。このことにより、シャツの所定の部分を突っ張った状態とすることができる。このようにすると、襟台の近傍が撓んだ状態である場合とは異なり、襟台が不意に加わった力等に起因して揺れ動いたりしてしまうことがない。つまり、襟台の長手方向の両端部が互いに離間する方向に開いた姿勢から不意に移動したりすることがなく、これらが開いた姿勢をより確実に保持できる。
【００１４】
請求項３に記載の発明は、弾性を有した帯状体である本体部を備え、前記本体部の長手方向の両端部がそれぞれ別途前記挿入片部として機能するものであり、前記移動規制手段の少なくとも１つは、前記本体部に形成された第１溝部であり、前記第１溝部に上前立及び／又は襟台が挟み込まれた状態で前記シャツに装着されることを特徴とする請求項１又は２に記載の襟保形具である。
【００１５】
かかる構成では、第１溝部で上前立及び／又は襟台を挟み込むことにより、装着された襟保形具のシャツに対する相対的な移動を規制している。このようにすると、比較的簡単な構造でシャツに装着した襟保形具の位置ずれを阻止したり、シャツから襟保形具が不意に外れてしまったりすることを防止できる。
【００１６】
請求項４に記載の発明は、弾性を有した帯状体である本体部を備え、前記本体部の長手方向の両端部がそれぞれ別途前記挿入片部として機能するものであり、前記移動規制手段の少なくとも１つは、前記本体部に形成された突出部であり、前記突出部は、前記本体部から外側へと延びており、前記突出部の先端側部分には、基端側部分へと向かって延びる第２溝部が設けられており、前記突出部の少なくとも一部が上前立と下前立に挟み込まれ、前記第２溝部にボタンを取り付けるための糸が挟み込まれた状態で前記シャツに装着されることを特徴とする請求項１乃至３のいずれかに記載の襟保形具である。
【００１７】
かかる構成では、突出部の先端部分に形成された第２溝部にボタンを取り付けるための糸が挟み込まれた状態でシャツに装着されている。このことによっても、襟保形具のシャツに対する相対的な移動を規制できるので、シャツに装着した襟保形具の位置ずれを阻止したり、シャツから襟保形具が不意に外れてしまったりすることを防止できる。
【００１８】
請求項５に記載の発明は、前記突出部は、前記先端側部分が前記基端側部分に対して屈曲しており、前記第２溝部は前記先端側部分の延び方向に沿って延びていることを特徴とする請求項４に記載の襟保形具である。
【００１９】
かかる構成によると、突出部を変形し難い構造とすることが可能となり、第２溝部にボタンの取り付け糸を挿入した際にボタンの取り付け糸が第２溝部の間から外れ難い構成とすることができる。このことにより、シャツに装着した襟保形具の位置ずれや、シャツから襟保形具が不意に外れてしまったりすることをより確実に防止できる。
【発明の効果】
【００２０】
本発明の襟保形具は、シャツの襟羽と襟台の間に形成される空間に対して２つの挿入片部をそれぞれ別途挿入するだけで、シャツの前方側に位置する襟台の両端部を互いに離間する方向に開いた姿勢に保持できる。そのため、装着前に組み立て作業を実施したり、装着するシャツの首回りの長さに応じて調整を実施したりすることのない簡単な構造とすることができる。
【図面の簡単な説明】
【００２１】
【図１】本発明の実施形態にかかる襟保形具がシャツに装着された様子を示す斜視図である。
【図２】図１の襟保形具を示す斜視図である。
【図３】図２の襟保形具を示す展開図である。
【図４】本発明の実施形態にかかる襟保形具をシャツに装着する様子を示す説明図であり、（ａ）〜（ｃ）の順に装着する。
【発明を実施するための形態】
【００２２】
以下、本発明の実施形態にかかる襟保形具１について詳細に説明する。また、以下の説明において、上下左右の位置関係については特に断りのない限り図１乃至図３で示される状態を基準として説明する。
【００２３】
本実施形態の襟保形具１は、図１で示されるように、シャツ２の襟前部分に装着して使用される。
【００２４】
襟保形具１は、図２、図３で示されるように、プラスチックシート等の透明で弾性を有する薄板状の部材を所定の形状（図３参照）に切り抜いて形成されるものであり、折り曲げられて立体となった状態（図２参照）で使用されるものである。
【００２５】
この襟保形具１は、帯状に延びる本体部５と、拡幅部６（移動規制手段）と、本体側切欠き溝７（第１溝部、移動規制手段）、突出部８（移動規制手段）とを備えた構成となっている。
【００２６】
本体部５は、展開した際の形状が略横長長方形状の部分であり（図３参照）、シャツ２への着用時においては、平面視略「Ｕ」字状に湾曲された状態となる部分である（図２参照）。
【００２７】
拡幅部６は、本体部５の一部であって、周囲の部分よりも幅方向（本体部５の長手方向に直交する方向）の長さが長くなった部分である。より具体的には、拡幅部６では、本体部５の延び方向の一端側から他端側に向かうにつれて幅が広くなっていく。すなわち、拡幅部６のうちで最も幅の広くなった部分である最広幅部６ａに至るまで徐々に幅が広くなっていく。そして、この最広幅部６ａからさらに本体部５の延び方向の他端側へと向かうにつれて徐々に幅が狭くなっている。
別言すると、拡幅部６は中心側（本体部５の延び方向における中心側）の部分が最も幅が広く、外側に向かうにつれて幅が狭くなっていく。
【００２８】
ここで、拡幅部６では、本体部５の幅方向の両端部のうち一方の端部（下方の端部）のみが広げられて拡幅している。つまり、拡幅部６では、本体部５の幅方向の片側端部のみが外側に突出することにより、周囲の部分よりも幅が広くなっている。換言すると、拡幅部６では、本体部５の幅方向の片側端部に外側へ凸となる山なりの突起が形成されることとなる。このため、拡幅部６の突出端面（下端面）にはなだらかな傾斜面が形成されることとなる。より具体的には、本体部５の延び方向の一端側から最広幅部６ａまでの間に下り勾配となる傾斜面が形成され、最広幅部６ａから本体部５の延び方向の他端側までの間に上り勾配となる傾斜面が形成されることとなる。
【００２９】
本体側切欠き溝７は、図２、図３で示されるように、拡幅部６と突出部８の間に形成される斜め方向に延びる切欠き溝である。換言すると、本体側切欠き溝７は、本体部５の長手方向の一方側から他方側へと向かう方向（図３における右方から左方へ向かう方向）であって、幅方向の片側端部（下方側の端部）側から他方側端部（上方側の端部）側へと延びる溝となっている。より具体的には、本体側切欠き溝７は、拡幅部６と突出部８との間に形成された溝であり、拡幅部６の側方端部に形成される傾斜面と、突出部８の側方端部に形成される傾斜面とが溝縁部分を形成する溝となっている。
【００３０】
突出部８は、図３で示されるように、本体部５から外側へ向かって屈曲しつつ延びた舌片となっている。別言すると、突出部８は、本体部５の幅方向の両端部のうち一方の端部（下方の端部）から外側（下方側）へ向かって突出した状態となっている。
【００３１】
より具体的には、突出部８は、本体部５から斜め方向に突出する基端側部分１２と、この基端側部分１２から本体部５の幅方向に沿う方向へと突出する先端側部分１３によって形成されている。
【００３２】
基端側部分１２は、突出部８のうち本体部５側に位置する部分であり、本体部５と連続する部分である。この基端側部分１２は、本体部５の長手方向と幅方向のそれぞれに対して傾いた方向へ突出している。より具体的には、この基端側部分１２は、本体部５から離れる方向であり、且つ、拡幅部６へと近接する方向へと突出している。
【００３３】
先端側部分１３は、突出部８の突出端側に位置する部分であり、本体部５の幅方向（図３の上下方向）に沿う方向へ突出している部分である。すなわち、先端側部分１３は、突出部８の延び方向の中途部分（基端側部分１２の突出端）からさらに外側に突出する部分であり、斜め方向に突出する基端側部分１２とは、その突出方向が異なっている。別言すると、先端側部分１３は、基端側部分１２に対して屈曲した状態となっている。
【００３４】
ここで、先端側部分１３の突出端側の部分は、二股に分かれた状態となっている。より具体的には、先端側部分１３の突出端側の部分には、突出端側から本体部５側へと向かって、本体部５の幅方向（図３の上下方向）に沿って延びる突片側切欠き溝１４が形成されている。
【００３５】
この突片側切欠き溝１４は、突出部８の先端側部分１３において、幅方向（図３の左右方向）の中心近傍に形成されており、先端側部分１３を２つの領域に分割している。この突片側切欠き溝１４の延び方向の端部のうち、本体部５側の端部（基端側部分１２よりの端部）では、その開口形状が半円状となっている。すなわち、突片側切欠き溝１４の本体部５側の端部は、丸みを帯びた形状となっており、より詳細には、本体部５側へ向かって丸みを帯びて凸となっている。
【００３６】
続いて、本実施形態の襟保形具１をシャツ２へ装着する際の装着方法につき、以下で具体的に説明する。
【００３７】
まず、図４（ａ）で示されるように、本体部５の長手方向の両端部分をそれぞれ襟羽２１と襟台２０の間に形成される空間に挿入する。
【００３８】
詳細に説明すると、本実施形態のシャツ２では、一般的な襟付きシャツと同様に、襟台２０の上端部分と連続する襟羽２１を折り返すことにより襟回りが形成されている。そして、襟台２０と襟羽２１の間には周方向に延びる空間２２が形成され、この空間２２と外部との境界となる開口部分２２ａがシャツ２の前方側に形成されている。より具体的には、シャツ２の前方側であり、水平方向に離れた位置に１つずつ計２つの開口部分２２ａが形成されている。
【００３９】
そして、帯状に延びる本体部５を平面視が略「Ｕ」字状になるように湾曲させ、本体部５の長手方向の両端部を２つの開口部分２２ａに対してそれぞれ挿通する。このことにより、本体部５の長手方向の両端部のうちの一方が開口部分２２ａのうちの一方に挿通され、本体部５の長手方向の両端部のうちの他方が開口部分２２ａのうちの他方に挿通された状態となる。このように、本実施形態では、本体部５の長手方向の両端部が襟台２０と襟羽２１の間に形成される空間２２に挿通されるための挿入片部として機能する。
【００４０】
ここで本体部５は、上記したように、弾性を有する部材によって形成されている。そのため、本体部５を湾曲した状態とすると、本体部５には弾性復元力が生じることとなる。すなわち、湾曲した状態で空間２２に挿通された本体部５は、湾曲された状態から展開された状態へと戻ろうとする。つまり、本体部５の長手方向の両端部は、襟台２０と襟羽２１の間に形成される空間２２に挿通されたまま互いに離れる方向へと移動しようとする。このため、本体部５の長手方向の両端部は、襟羽２１の水平方向に離れた２つの部分をそれぞれ外側へ向かって押圧することとなる。
【００４１】
より詳しくは、本体部５の長手方向の片側部分が襟羽２１のうち左端側に位置する部分を左方へ押圧し、本体部５の長手方向の他方側の部分が襟羽２１のうち右端側に位置する部分を右方へ押圧する。すなわち、襟羽２１の前方側に位置する部分のうち、左右方向に離れたそれぞれの部分を互いに離れる方向へと押圧する。別言すると、襟羽２１の径方向に離れた２つの部分のそれぞれが外側へと押圧される。
【００４２】
このことにより、シャツ２の襟前部分が開いた状態に保持される。より具体的には、襟台２０の周方向の両端部分であって、襟前を閉じる際に前端側で重なり合う部分が互いに離間する方向に開いた姿勢となる。別言すると、襟台２０の長手方向における両端部分のうちの左側に位置する部分が左方へ、襟台２０の長手方向における両端部分のうちの右側に位置する部分が右方へとそれぞれ移動し、これらが離れた状態となる。
【００４３】
また、本体部５の長手方向の両端部を２つの開口部分２２ａに対してそれぞれ挿通していくと、図４（ｂ）で示されるように、拡幅部６が開口部分２２ａから襟台２０と襟羽２１の間に形成される空間２２に挿通されることとなる。このとき、拡幅部６の上端部分は襟羽２１に下方から接触し、拡幅部６の下端部分はシャツ２の上前身ごろ２５に接触する。つまり、拡幅部６の上端と下端とは、挿通された空間２２の上側部分と下側部分にそれぞれ接触した状態となる。このことにより、拡幅部６が位置する部分の近傍では、シャツ２が突っ張った状態、すなわち、やや上下方向に引き延ばされた状態となる。
【００４４】
このように、拡幅部６の上下端がそれぞれシャツ２に接触した状態では、襟保形具１のシャツ２に対する相対的な移動が規制されることとなる。すなわち、この状態で襟保形具１をシャツ２に対して相対的に移動させようとすると、拡幅部６のシャツ２と接触した部分が抵抗となる。そのため、襟保形具１に対して一定以上の力を加えない限り、襟保形具１をシャツ２に対して相対的に移動できないようになる。換言すると、拡幅部６がシャツ２に引っ掛かった状態となり、襟保形具１が移動させ難い状態となる。このことにより、シャツ２に装着した襟保形具１の予期しない位置ずれを防止できる。
【００４５】
また、拡幅部６が位置する部分の近傍には、襟台２０の一端部が位置している。したがって、拡幅部６の近傍でシャツ２が突っ張った状態となると、襟台２０の端部近傍でシャツ２が突っ張った状態となることとなる。このことにより、襟台２０の周囲に位置する生地が弛んだ状態であるために襟台２０が予期しない移動をしてしまうといったことがなく、より確実に襟前部分を開いた状態に保持できる。
【００４６】
さらに本実施形態では、図４（ｃ）で示されるように、本体側切欠き溝７の間に上前立３２が位置する状態とする。すなわち、上前立３２を本体側切欠き溝７で挟み込んだ状態とする。すると、襟保形具１に対して所定の方向へ力を加えない限り、襟保形具１をシャツ２から取り外せないようになる。換言すると、シャツ２に装着した状態で襟保形具１が所定の方向以外の方向へ移動しないように、襟保形具１のシャツ２に対する相対的な移動を規制することができる。このことにより、襟保形具１に対して不意に力が加わってしまうこと等に起因する襟保形具１の予期しない位置ずれや、襟保形具１がシャツ２から期せずして外れてしまうといったことを防止できる。
【００４７】
そして本実施形態では、図４（ｃ）で示されるように、突出部８をシャツ２に対して固定する。
詳説すると、突出部８をシャツ２の上前身ごろ２５と下前身ごろ２６の間に挿通した状態とする。すなわち、突出部８の先端側部分１３を上前身ごろ２５と下前身ごろ２６の間に挿通し、先端側部分１３と基端側部分１２の一部が上前身ごろ２５と下前身ごろ２６の間に挟まれた状態とする。ここで、突出部８の基端側部分１２は、本体部５から右方下側へ向かって斜め方向に突出している。そのため、突出部８を上前身ごろ２５と下前身ごろ２６の間に挿通するときは、斜め上方から挿入することとなる。すなわち、基端側部分１２の突出方向に沿って突出部８を上前身ごろ２５と下前身ごろ２６の間に挿通する。
【００４８】
そして、図４（ｃ）で示されるように、突出部８の先端側部分１３をボタン３５を取り付けた部分に対して固定する。
ここで、このボタン３５は、襟台２０よりも下方に離れた位置にあるボタンであり、シャツ２の上前立３２と下前立３３が重なり合う位置に取り付けられたボタンとなっている。そして、先端側部分１３をボタン３５を取り付けた部分に対して固定する際、先端側部分１３に形成された突片側切欠き溝１４の間にボタン３５の取り付け糸が挟まった状態とする。すなわち、突片側切欠き溝１４の位置を調整し、突片側切欠き溝１４で取り付け糸を挟み込み、突片側切欠き溝１４の間に取り付け糸を挿入した状態とする。
【００４９】
より具体的には、突出部８の先端側部分１３をボタン３５の取り付け糸に対して上方から近接させていく。そして、先端側部分１３に形成された突片側切欠き溝１４の間にボタン３５の取り付け糸を位置させる。そのまま先端側部分１３を下方に位置させることにより、突片側切欠き溝１４の上端部分であるところの上方に丸みを帯びて凸となった部分にボタン３５の取り付け糸を当接させる。
すなわち、突出部８をシャツ２の上前身ごろ２５と下前身ごろ２６の間に挿通するときの挿通方向と、先端側部分１３でボタン３５の取り付け糸を挟み込むときの先端側部分１３の移動方向とは異なる方向となっている。より具体的には、先端側部分１３でボタン３５の取り付け糸を挟み込むとき、突出部８を湾曲させる等して一時的に変形させた状態で先端側部分１３を移動させている。
【００５０】
このように、突片側切欠き溝１４の間に取り付け糸を挿入した状態とすると、襟保形具１のシャツ２に対する相対的な移動を規制することができる。したがって、襟保形具１に対して不意に力が加わってしまうこと等に起因する襟保形具１の予期しない位置ずれや、襟保形具１がシャツ２から期せずして外れてしまうといったことを防止できる。
【００５１】
ところで、突出部８は本体部５と一体に形成されるものであり、弾性を有するものである。そのため、突出部８の上下方向の長さを本体部５の下端からボタン３５までの長さＬ１と略同じ（又はやや長い）長さとし、突出部８をシャツ２に対して固定することで、突出部８が本体部５を押し上げるように作用する状態となる。
具体的に説明すると、突出部８を一旦湾曲させた状態で上前立３２と下前立３３の間に挿通し、突片側切欠き溝１４でボタン３５の取り付け糸を挟み込んだ状態とする。そして、突出部８へ加える力を解除すると、突出部８には弾性復元力が生じることとなる。このとき、突出部８は、ボタン３５の取り付け糸を下方へと押圧すると共に、本体部５を上方へと押圧する。すると、突出部８に上側へと押圧された本体部５の上端部分が襟羽２１を下方から押圧することとなり、襟台２０が上側へと引っ張られた状態となる。このように、襟台２０及び襟台２０の周辺の生地が突っ張った状態となると、襟台２０の予期しない移動を防止できる。すなわち、襟台２０の周囲に位置する生地が弛んだ状態であることに起因して襟台２０が揺れ動いてしまうといったことがなく、より確実に襟前部分を開いた状態に保持できる。
【００５２】
ところで、本実施形態では、基端側部分１２の延び方向と先端側部分１３の延び方向とが異なっており、突出部８が屈曲しつつ延びる構造となっている。このような構造によると、突出部８の剛性が高くなり、突出部８を変形し難い状態とすることができる。すなわち、突片側切欠き溝１４でボタン３５の取り付け糸を挟み込んだ状態においても突出部８が変形し難い状態となる。そのため、突片側切欠き溝１４がボタン３５の取り付け糸を挟み込んだ状態で突出部８に不意に力が加わってしまっても、突出部８が変形してしまうことがなく、突片側切欠き溝１４がボタン３５の取り付け糸から不意に外れてしまうことがない。
【００５３】
つまり、上記したように、本実施形態の襟保形具１では、本体部５の弾性復元力によって襟台２０の長手方向の両端部を互いに離れた方向へと移動させ、シャツ２の襟前を開いた状態としている。
また、襟保形具１に拡幅部６、本体側切欠き溝７、突片側切欠き溝１４を設けてこれらを移動規制手段として機能させている。すなわち、拡幅部６を襟台２０と襟羽２１の間に形成される空間に引っ掛けた状態とし、さらに本体側切欠き溝７と突片側切欠き溝１４とでシャツ２の一部を挟み込むことにより、シャツ２に装着した襟保形具１が不意に位置ずれしたり、外れたりしない構成となっている。
そして、襟保形具１の拡幅部６、突片側切欠き溝１４が形成された突出部８は、移動規制手段としてだけでなく、シャツ２の襟前を開いた状態に保持する姿勢固定手段としても機能させている。すなわち、拡幅部６と突出部８を設けることにより、シャツ２に装着した際に本体部５が襟台２０を下方側から押圧し、襟台２０及び襟台２０の周辺の生地を突っ張った状態としている。このことにより、襟台２０の長手方向の両端部のそれぞれが他方端部へと近づく方向へ移動しない状態に保持されている。
さらに、襟保形具１は、透明の薄板体であるので、襟保形具１と重なるシャツ２の下前立３３や下前身ごろ２６を前方から透過して目視することが可能となっている。
【００５４】
すなわち、本実施形態の襟保形具１は、シャツ２の襟前を開いた状態を維持すると共に、シャツ２の下前立３３や下前身ごろ２６を前方から透過して目視できる状態とする。そのため、襟保形具１を装着したシャツ２を店頭等に陳列すると、客は下前立３３や下前身ごろ２６に施されたデザインを目視することができる。
【００５５】
上記した実施形態では、上前立３２を本体側切欠き溝７で挟み込んだ場合について説明したが本発明はこれに限るものではない。シャツの襟台の大きさによっては本体側切欠き溝が襟台を挟み込む構成であってもよい。すなわち、本体側切欠き溝は、シャツの襟台と上前立のいずれか一方又は双方を挟み込む構成であってもよい。
【００５６】
上記した実施形態では、襟保形具１に拡幅部６、本体側切欠き溝７、突出部８を設けた例を示したが本発明はこれに限るものではない。これらのうち１つだけを設ける構成としてもよく、いずれか２つを設ける構成としてもよい。
しかしながら、これらを３つとも設ける構成によると、シャツ２に装着した襟保形具１が不意に位置ずれしたり、外れたりせず、より確実に襟前部分を開いた状態に保持できるので好ましい。
【００５７】
上記した実施形態では、襟保形具１を弾性を有する板体としたが本発明はこれに限るものではない。例えば、非弾性体たる板体で形成され、平面視が略「Ｕ」字状、略「Ｃ」字状、又は略「コ」字状のいずれかとなるように延びる本体部を備える襟保形具であってもよい。この場合、本体部の長手方向の両端部間の距離が、装着対象となるシャツの襟回りの径の長さよりも長くなっていることが好ましい。より具体的には、シャツの襟回りのうち前側部分の所定位置における左右方向の長さより、本体部の長手方向の両端部間の距離が長くなっていることが好ましい。
また、本体部が湾曲しつつ延びている場合、本体部の曲率はシャツの襟回りの前側部分における曲率よりも小さいことが好ましい。
【符号の説明】
【００５８】
１  襟保形具
２  シャツ
５  本体部
６  拡幅部(移動規制手段)
７  本体側切欠き溝（第１溝部、移動規制手段）
８  突出部(移動規制手段)
１２  基端側部分
１３  先端側部分
１４  突片側切欠き溝（第２溝部、移動規制手段）
２０  襟台
２１  襟羽
２２  空間
３２  上前立
３３  下前立
【図１】
2014051754.tif 000003
【図２】
2014051754.tif 000004
【図３】
2014051754.tif 000005
【図４】
2014051754.tif 000006